(57)【要約】【課題】  使用者の意思によってキーの機能および配置を容易に変更できる電子辞書の提供。【解決手段】  文字データの入力を行う入力手段と、文字データが表示される表示手段と、複数の辞書データを有する辞書データ記憶手段と、前記入力手段の有するそれぞれのキーの情報を記憶するキー情報記憶手段と、前記キー情報記憶手段に記憶されたキーの情報を変更するキー情報制御手段と前記入力手段におけるキーの配置を変更するキー配置変更手段を具備する。【選択図】    図１
2005309845.tif 000002
【特許請求の範囲】
【請求項１】
文字データの入力を行う入力手段と、
文字データが表示される表示手段と、
複数の辞書データを有する辞書データ記憶手段と、
前記入力手段の有するそれぞれのキーの情報を記憶するキー情報記憶手段と、
前記キー情報記憶手段に記憶されたキーの情報を変更するキー情報制御手段と
前記入力手段におけるキーの配置を変更するキー配置変更手段と
を具備することを特徴とする電子辞書。
【請求項２】
前記入力手段は、前記辞書データ記憶手段から任意の辞書を選択する辞書選択手段及びアルファベット入力手段を有することを特徴とする請求項１に記載の電子辞書。
【請求項３】
前記キー配置変更手段がキー情報記憶手段を有していることを特徴とする請求項１に記載の電子辞書。
【請求項４】
複数の辞書データを有する辞書データ記憶手段と、
任意の辞書データによる検索を行う辞書モードを呼び出す辞書選択キーと、
前記辞書選択キーと前記辞書モードとの対応関係を記憶するキー情報記憶手段と、
前記対応関係を変更するキー情報制御手段とを有することを特徴とする電子辞書。
【請求項５】
前記辞書選択キーは、複数の辞書モードを選択可能な複数選択用辞書選択キーを有することを特徴とする請求項４記載の電子辞書。
【請求項６】
前記辞書選択キーは、着脱可能であると共に、当該辞書選択キーの下部にゴム接点スイッチが設けられていることを特徴とする請求項４記載の電子辞書。
【発明の詳細な説明】
【技術分野】
【０００１】
本発明は入力された語句に対応する訳及び語句に関連する情報等を表示する電子辞書に係り、キーボードなどの入力手段を有する電子辞書に関するものである。
【背景技術】
【０００２】
英和辞典、和英辞典、国語辞典等の種々の辞典の内容を電子データとしてデータベース化し、入力された語句に対応する訳を表示する電子辞書が広く普及している。この電子辞書では、使用者が目的とする辞書の種類を辞書選択手段より選択し、入力手段より語句を入力することで、対応する単語および成句、例文とその訳を辞書データベースから抽出して、表示するようになっている（例えば特許文献１参照）。また、電子辞書に収録する辞書を使用者の要望により変更または追加することも行われている（例えば特許文献２）。
【特許文献１】特開２００３−３３０９５１
【特許文献２】特開２００３−３４６０１７
【発明の開示】
【発明が解決しようとする課題】
【０００３】
複数の辞書データを有し、また、使用者により任意の辞書を選択し変更または追加を行う電子辞書においては、入力手段における辞書選択手段から任意の辞書を使用者によって選択し、また、入力手段より文字入力や語句選択がなされる。
【０００４】
使用者はあらかじめ決められた入力手段および辞書選択手段の配置に従い、辞書選択手段より辞書を選択し、入力手段より語句の入力を行う。
【０００５】
しかし、従来の電子辞書では、使用者の意志で辞書選択手段および入力手段の配置を変更することはできなかった。さらに、使用者により電子辞書に収録された辞書の変更や追加がなされた場合も、辞書選択手段に使用者の希望する辞書を配置することはできなかった。
【０００６】
本発明は、使用者の意志によりキーの情報および配置を変更することのできる電子辞書を提供することを目的とする。
【課題を解決するための手段】
【０００７】
請求項１に記載した発明では、文字データの入力を行う入力手段と、文字データが表示される表示手段と、複数の辞書データを有する辞書データ記憶手段と、 前記入力手段に前記辞書データ記憶手段から任意の辞書を選択する辞書選択手段を有し、前記入力手段の有するそれぞれのキーの情報を記憶するキー情報記憶手段と、前記キー情報記憶手段に記憶されたキーの情報を変更するキー情報制御手段とを電子辞書に具備させて前記目的を達成する。
【０００８】
また、請求項２に係る電子辞書では、請求項１に記載の電子辞書において、前記入力手段は、キーの配置を変更するキー配置変更手段を有することを特徴とする。
【０００９】
さらに、請求項３に係る電子辞書では、請求項１に記載の電子辞書において前記キー配置変更手段がキー情報記憶手段を有していることを特徴とする。
【００１０】
請求項４に係る電子辞書では、複数の辞書データを有する辞書データ記憶手段と、任意の辞書データによる検索を行う辞書モードを呼び出す辞書選択キーと、前記辞書選択キーと前記辞書モードとの対応関係を記憶するキー情報記憶手段と、前記対応関係を変更するキー情報制御手段とを有することを特徴とする。
【００１１】
また、請求項５に係る電子辞書では、前記辞書選択キーは、複数の辞書モードを選択可能な複数選択用辞書選択キーを有することを特徴とする。
【００１２】
さらに、請求項６に係る電子辞書では、前記辞書選択キーは着脱可能であると共に、当該辞書選択キーの下部にゴム接点スイッチが設けられていることを特徴とする。
【発明の効果】
【００１３】
請求項１から請求項２に記載した本発明によれば、入力手段においてキー情報記憶手段に記憶されたキー情報を使用者がキー情報制御手段より任意のキー情報へ変更し、キー配置変更手段により任意のキー配置へ変更するようにしたので、使用者の意図したキー情報及びキー配置に容易に変更を行うことができる。
【００１４】
請求項３に記載した発明によれば入力手段におけるキー配置変更手段がキー情報記憶手段を同時に有するため、キーの配置を変更することで使用者の意図したキー情報およびキー配置に容易に変更を行うことができる。
【発明を実施するための最良の形態】
【００１５】
以下、本発明の電子辞書における好適な実施の形態について、図１から図５を参照して詳細に説明する。
【００１６】
図１は、本発明の一実施形態における電子辞書１の構成を表したブロック図である。図２は、電子辞書１の外観を示す平面図である。
【００１７】
図１に示されるように、電子辞書１は、各部の制御を行うと共に、辞書検索を含む本実施形態におけるキー情報制御等の各種制御を行う制御部１１を備えている。この、制御部１１には、入力手段１２、表示手段１３、ＲＯＭ等の記憶手段で構成される辞書データ記憶手段１４、ＲＡＭ１５、及びキー情報記憶手段１６がデータ・バスや制御バスによって接続されている。また、入力手段１２にはキー配置変更手段１７が付随する。
【００１８】
入力手段１２は、電子辞書１の各種入力を行う際に使用される。入力手段１２は、辞書選択手段１２ａ、文字入力手段１２ｂを備えている。入力手段１２は、図２に示されるように、電源のオンオフを行う電源キー２１、文字を入力するための文字キー２２（以後キーボード２２という）、辞書の種類を選択する辞書選択キー２３、入力手段１２における全ての情報の変更を行うキー情報変更キー２４、入力文字および使用機能の確定を行う決定キー２５、カーソルや選択箇所の移動を行うカーソルキー２６（以後十字キー２６）、を備えている。また、入力手段１２は、図示しないが、例えば数字を表すテンキーその他の情報を備えている。
【００１９】
表示手段１３は液晶表示装置が使用され、図２における液晶表示画面２７が対応している。表示手段１３には、キーボード２２から入力された文字や単語、及び検索された訳や例文、成句等が表示されるようになっている。
【００２０】
辞書データ記憶手段１４は、電子辞書１として訳や語意等を検索するための辞書が格納されている。本実施形態における辞書データ記憶手段１４としては、ＲＯＭが使用されているが、一部又は全部のデータをコンパクトフラッシュメモリ等の電子辞書１から取り外し可能な記憶媒体を使用するようにし、新たな辞書データ等を追加するようにしてもよい。
【００２１】
また、入力手段１２より検索された語句を記憶手段１４から抽出し、ＲＡＭ１５へ格納する。図１において、ＲＡＭ１５は、制御部１１が各種処理を行う際の作業領域として機能する。ＲＡＭ１５は、入力文字や単語に応じて辞書データ記憶手段から抽出した訳や例文等が記憶される文字データ一時記憶手段を有し、その他が作業領域として確保されるようになっている。
【００２２】
制御部１１は、ＣＰＵを備えており、図示しないＲＯＭに格納された検索プログラム、キー情報変更プログラム等の各種プログラムを実行することで、各部の制御を行うと共に、辞書検索を含む本実施形態におけるキー情報変更等の各種制御を行うようになっている。
【００２３】
キー情報記憶手段１６は、入力手段１２における各キーの情報が記憶されている。キー情報記憶手段１６に記憶された各キーの情報はキー情報制御手段により使用者によって変更可能であることが必須であり、例えばフラッシュメモリ等のデータの変更が容易な記録媒体である。使用者による各キーの情報の変更は図２のキー情報変更キー２４を押下することによってキー情報制御手段を使用可能とする。
【００２４】
また、キー配置変更手段１７は入力手段１２の物理的な配置の変更を行うものである。図２における電源キー２１、キーボード２２辞書選択キー２３、キー情報変更キー２４、決定キー２５、および十字キー２６はそれぞれ形状およびサイズが同等であり、使用者によってそれぞれのキーが着脱可能である。
【００２５】
なお、制御部１１におけるＣＰＵ、ＲＯＭ（辞書データ記憶手段１４）、及びＲＡＭ１５は、それぞれ独立して存在する構成について説明するが、それぞれを分離せずに１つのチップに纏めたワンチップＣＰＵを使用するようにしてもよい。
【００２６】
以上のように構成された電子辞書１の動作におけるキー情報およびキー配置の変更の動作について説明する。
【００２７】
電源キー２１により電子辞書１は動作待ち状態になる。この状態でキー情報変更キー２４が使用者によって選択（押下）されると、制御部１１はキー情報変更キー２４が選択されたことを検知し、以後十字キー２６および決定キー２５により行われるキー情報変更処理を実行する。
【００２８】
図３は、辞書選択キー２３のＦ１における「国語辞書」を呼び出す機能をＦ５に移動し、「百科事典」を呼び出す機能へ変更する場合の画面遷移の状態を表したものである。
【００２９】
図３の画面は、使用者がキー情報変更キー２４を押下した際に液晶表示画面２７へ表示され、キー情報記憶手段１６へ記憶されるＦ１からＦ５で構成される辞書選択キー２３がＲＯＭ１４より呼び出す辞書モードが、各キー名の下へ表示されている。辞書選択キー２３において、Ｆ１からＦ４は１つのキーにつき１つの辞書モードをＲＯＭ１４より呼び出すキーであり、Ｆ５は複数の辞書モードの選択が可能なキー（複数選択用辞書選択キー）である。辞書選択キー２３のそれぞれが呼び出し可能な辞書モードの個数は常に一定になるよう制御手段１１により制御されるため、常にＦ１からＦ４はそれぞれ辞書を１つだけ呼び出す。
【００３０】
使用者が十字キー２６および決定キー２５より、「国語辞書」を選択すると、液晶表示画面２７に表示された「国語辞書」の文字が反転される（図３（a））。反転された辞書名は十字キー２６より表示されているＦ１からＦ５の範囲内で移動を行う。「国語辞書」を画面上のＦ５の領域へ移動し、決定キー２５を押下するとＦ５キーの領域へ「国語辞書」の辞書モードを呼び出す機能は移動される。「国語辞書」の辞書モード呼び出し機能をＦ５へ移動したため、Ｆ１キーは機能しないことになり、Ｆ１に記憶された辞書モード呼び出し機能が一でないことを確認した制御手段１１によって、Ｆ１キーに新たな辞書モード呼び出し機能を選択しない限り辞書キー変更モードの終了を行わないよう制御される。制御手段１１がＦ１≠１を確認した場合、自動的に移動先の最上部に表示された辞書モード名の反転表示を行う（図３（b））。反転表示は十字キー２６によりＦ２からＦ５の全ての辞書モード名へ移動可能である。使用者によって決定キー２５が押下された際に、反転表示がなされていた辞書モード名が移動元の辞書選択キー２３、本例ではＦ１キーへ移動する。図３（c）では「百科事典」を反転表示させ、決定キー２５を押下し、Ｆ１キーは「百科事典」の辞書モード呼び出し機能へと変更が行われる（図３（d））。また、キー情報変更後の各キーの動作はキー情報記憶手段に記憶され、再度キー情報変更キー２４が押下されるまでは前回のキー情報を記憶する。
【００３１】
次に、コンパクトフラッシュメモリ等を使用するなどして、使用者によって辞書データが追加された場合、図４に示すように制御部１１により追加された辞書モードの呼び出し機能を設定するキーを選択する。図４は使用者が「医学辞書」の追加を行う場合の画面遷移の状態を表したものである。使用者によって「医学辞書」の辞書データの追加が行われた際に制御部１１は液晶画面２７へ辞書選択キー２３のうちの一つを反転させて表示を行う（図４（a））。使用者は十字キー２６によって辞書の追加を行うキーを選択し、Ｆ３キーを反転させた状態（図４（ｂ））で使用者によって決定キー２５の押下が行われ、制御部１１は反転表示されていたＦ３キーへ「医学辞書」の辞書モードの呼び出し機能を追加する（図４（ｃ））。「医学辞書」の呼び出し機能の追加がなされた際、制御部１１によってＦ３キーがＦ３≠１であることが確認されるため、追加前に呼び出しを行う辞書モードとしてＦ３キーへ記憶されていた「和英辞書」が反転表示される（図４（ｃ））。使用者の十字キー２６の操作により「和英辞書」は移動が行われ、Ｆ５の領域へ移動し、決定キー２５が押下によって「和英辞書」の辞書モード呼び出し機能はＦ５キーへ移動する（図４（ｄ））。
【００３２】
図５は辞書選択キー２３のＦ１における「国語辞書」を呼び出す機能をＦ５に移動し、「百科事典」を呼び出す機能へ変更した図３の動作に伴って、図２のＦ１キーの「百科事典」キーへの物理的な変更を行う場合の遷移図を表すものである。図２において電源キー２１、キーボード２２辞書選択キー２３、キー情報変更キー２４、決定キー２５、十字キー２６はそれぞれ同寸法で作られており、また、キーが押された場合、キーを押すことによってキーの下部に存在するゴム接点スイッチ３０が押されるので、ゴム接点スイッチ３０さえ存在すればキーの押下は可能であり、キー自体は着脱可能となっている。使用者によってＦ１キーの取り外しを行った電子辞書１本体からは、Ｆ１キーが取り外された箇所より実際のゴム接点スイッチ３０が確認される（図５（ｂ））。使用者が「百科事典」を表すキーとして図２の全てのキーと同寸法および同着脱方式で作られた「百科」キー２３ａを接続することによってＦ１キーは視覚的な面においてもキーの変更を行うことが可能である（図５（ｃ））。
【００３３】
以上、本発明の電子辞書における１実施形態について説明したが、本発明は説明した実施形態に限定されるものではなく、各請求項に記載した範囲において各種の変形を行うことが可能である。
【００３４】
例えば、説明した実施形態では、辞書選択キー２３のＦ１キーからＦ４キーまでの四つのキーはそれぞれ一つの辞書モードの呼び出し機能のみ有したが、これらのキーの有する辞書モードの呼び出し機能の上限が一つである必要はなく、例えば、Ｆ１キーが二つの呼び出し機能を有することも可能である。
【００３５】
また、説明した実施形態では辞書選択キー２３におけるＲＯＭ１４に記憶された辞書モードの呼び出し機能の変更を行ったが、例えば十字キー２６の「↑」キーとキー情報変更キー２４の機能を変更することも可能である。
【００３６】
また、キーの物理的な変更も、取り外したキーの代わりに新たなキーの接続を行ったが、一度取り外しが行われたキーは使用不可能ではなく、何度でも接続可能である。
【００３７】
また、説明した実施形態ではキー情報制御手段１６とキー配置変更手段１７はそれぞれ独立してキーの機能における変更とキーの物理的な配置変更を行っていたが、キー配置変更手段１７がキー情報制御手段１６を兼備し、例えば、図５の「百科」キーが「百科事典」の辞書モード呼び出し機能を有し、「百科」キーの接続が行われたと同時にＦ１キーは百科事典の辞書モード呼び出し機能とすることも可能である。ただし、この場合は百科事典の辞書データをＲＯＭ１４またはユーザーによって追加されたコンパクトフラッシュメモリ等が有していることが前提である。
【図面の簡単な説明】
【００３８】
【図１】本発明の一実施形態における電子辞書の構成を表したブロック図である。
【図２】電子辞書の外観を示す平面図である。
【図３】キー情報制御手段より辞書選択手段の内容を変更する場合の画面遷移状態図である。
【図４】新たな辞書データの追加によって辞書選択手段の内容を変更する場合の画面遷移状態図である。
【図５】キー情報制御手段によって変更がなされたキー情報記憶手段に準じて入力手段の物理的な配置を変更する場合の画面遷移状態図である。
【符号の説明】
【００３９】
１１  制御部
１１ａ  キー情報制御手段
１２  入力手段
１２ａ  辞書選択手段
１２ｂ  文字入力手段
１３  表示手段
１４  辞書データ記憶手段
１５  ＲＡＭ
１６  キー情報記憶手段
１７  キー配置変更手段
２１  電源キー
２２  文字キー
２３  辞書選択キー
２４  キー情報変更キー
２５  決定キー
２６  カーソルキー
２７  液晶表示画面
【図１】
2005309845.tif 000003
【図２】
2005309845.tif 000004
【図３】
2005309845.tif 000005
【図４】
2005309845.tif 000006
【図５】
2005309845.tif 000007